(57)【特許請求の範囲】
【請求項１】
開口部と、
湾曲線を有する底辺と、
側辺と、
前記底辺側から伸長する複数の孔又は切れ目を連続させた少なくとも１本の線状の開封手段と、を有し、
前記底辺の一部に平坦部を設け、該平坦部の任意の位置から前記開封手段が伸長することを特徴とするバナナ包装用の袋体。
【請求項２】
開口部と、
湾曲線を有する底辺と、
側辺と、
前記底辺側から伸長する複数の孔又は切れ目を連続させた少なくとも１本の線状の開封手段と、を有し、
前記底辺の一部に、前記開封手段が伸長する方向と反対の方向に向けて突出するタブ部を設け、該タブ部のいずれかの位置から前記開封手段が伸長することを特徴とするバナナ包装用の袋体。
【請求項３】
前記側辺が、長さの異なる長側辺と短側辺である請求項１又は２に記載のバナナ包装用の袋体。
【請求項４】
前記底辺が前記湾曲線上に頂点を有し、該頂点は、前記長側辺と前記開口部との接点からの直線距離が、該接点から前記長側辺と前記底辺との接点までの直線距離よりも長くなるように位置する請求項３に記載のバナナ包装用の袋体。
【請求項５】
前記開封手段が、前記底辺側の、前記長側辺と底辺の接点と前記頂点との間（該頂点を含む）の任意の位置から伸長する請求項４に記載のバナナ包装用の袋体。
【請求項６】
前記開封手段が、前記底辺側の、前記長側辺と底辺の接点から前記頂点の方向に向けて３ｃｍ以上離れた位置から、前記頂点（該頂点を含む）までの任意の位置から伸長する請求項４又は５に記載のバナナ包装用の袋体。
【請求項７】
前記開封手段の長さが３．０ｃｍ〜５．０ｃｍの範囲内にある請求項１乃至６のいずれか一項に記載のバナナ包装用の袋体。
【発明の詳細な説明】
【技術分野】
【０００１】
本発明は、果実や野菜の包装用の袋体に関する。より具体的には果実等の形状や大きさに合わせた包装用の袋体、特に、バナナの湾曲に見合う湾曲形状をした底部（湾曲線からなる底辺又は湾曲底）を有するバナナ包装用の袋体に関する。
【背景技術】
【０００２】
バナナは、収穫後、生産地において数本をひと房とする房単位で一つの袋体に詰め、この袋体の開口部を留めて商品化し、出荷、販売するといった一連の形態が主流となっている。
【０００３】
この袋詰用の袋体として、一般に、ポリエチレンテレフタレート、ポリプロピレンなどの、透明の樹脂フィルムの袋体が用いられる。これは、樹脂フィルムの袋体が剛性に優れ輸送に適している一方、安価で、包装後もバナナの状態を確認しやすいことに基づく。
【０００４】
バナナ包装用の袋体の形状は、房単位のバナナが袋詰めされた状態で見栄えを良くし、かつ、無駄な部分を省きコストを削減するため、底部をバナナの湾曲に見合うようにした特殊な形状にするのが通常である。
【０００５】
袋体にバナナを詰めた後は、通常、ポリプロピレンフィルム製やセロファン製のバックシーリングテープを用いて開口部を留める。バックシーリングテープは安価で、簡易かつ確実に開口部を留めることができるため、バナナの包装用の袋体を留める手段として一般に用いられている。
【０００６】
しかしながら、上記の従来のバナナ包装用の袋体には、消費者等がこれを開封する際に開封を容易にするための手段は特に設けられていない。
【０００７】
上記袋体からバナナを取り出す際、開口部を確実に接着しているバックシーリングテープを手で剥がして袋体を開封することは難しい。また、上記のとおり袋体は剛性に優れた素材が用いられているため袋体を手で破ることも難しく、無理に力を加えると誤ってバナナを傷めてしまうおそれがある。袋体には通気孔が設けられているものも多いが、袋体の素材が丈夫であるので、通気孔の両側に手で力（張力）を加えてこれを広げて開封することも困難である。
【０００８】
そのため、バナナを購入した消費者等が袋体を開封するには、開封のための道具を別途用いる必要があり、特に、非力な高齢者や子供などは鋏やカッターなどを用いざるを得ない。しかし、開封時にこれらの道具が必ずしも手元にあるとは限らず、従来の袋体は消費者等にとって少なからず不便であった。
【０００９】
バナナの包装用の袋体については、陳列時の見栄えを良くしたり、鮮度保持の効果を高めたりする技術や（特開２００２−２７９０８号、特開２００４−２６９０３４号など）、通気性を高めたり、バナナを傷つけないようにするための技術が提案されている（特許第３１５４４４１号、特開２００７−２２５８６号、実用新案登録第３０１４７７８号など）。しかしながら、バナナ包装用の袋体のための開封手段、特に、上記のような最も汎用性のある一般的な袋体に適用するための開封技術は提供されてこなかった。
【００１０】
一般的なバナナ（特に房バナナ）包装用の袋体に開封手段が設けられてこなかったのは、いくつかの理由による。まず、バナナ包装用の袋体が上記のように特殊な形状をしており、適切な開封手段を設けにくいためである。特に、バナナの包装用袋体は上記のように無駄な部分が省かれているため、バナナを中に詰めた状態ではゆとりが少なくなる。そのため、剛性に優れた袋体でも、テンションがかかりやすい。バナナは海外の生産地で採取して輸入するのがほとんどであるが、生産地から販売場所までの輸送は長期に亘り、輸送過程も多様であるため、振動や衝撃、圧迫等を受けやすい。そのため、開封手段を設けると、袋体が誤って開封したり破損したりしやすくなるおそれが大きかった。
【００１１】
また、バナナは果実の中でも消費者等の需要が高く、販売価格も安価に抑えることが望まれており、包装用の袋体も低コストで製造する必要があることも、開封手段が設けられない一因である。袋体を樹脂フィルムとし、かつ無駄を省いた形状に成形することや、バックシーリングテープを用いて開口部を留めることなどが一般に採用されているのも、かかるコストの要請が大きいからであり、別途開封手段を設けることについても、コスト面の制約を無視することができない。
【００１２】
これらの理由から、一般的な樹脂フィルムのバナナ（特に房バナナ）の包装用袋体に開封手段を設けるのは困難と考えられており、実際も開封手段を設けた袋体は存しなかった。
【先行技術文献】
【特許文献】
【００１３】
【特許文献１】特開２００２−２７９０８号
【特許文献２】特開２００４−２６９０３４号
【特許文献３】特許第３１５４４４１号
【特許文献４】特開２００７−２２５８６号
【特許文献５】実用新案登録第３０１４７７８号
【発明の概要】
【発明が解決しようとする課題】
【００１４】
本発明は上記の点に鑑みてなされたものであり、その主たる課題は、バナナの包装を消費者等が開封しやすいようにする一方、輸送時には振動や衝撃が与えられても破損しにくく、かつ低コストで製造できるバナナの包装用袋体を提供することにある。
【課題を解決するための手段】
【００１５】
上記課題を解決するため，本発明の第１の側面は、開口部と、湾曲線を有する底辺と、側辺と、前記底辺側から伸長する複数の孔又は切れ目を連続させた少なくとも１本の線状の開封手段と、を有するバナナ包装用の袋体を提供するものである。
【００１６】
本発明の第２の側面は、前記側辺が、長さの異なる長側辺と短側辺である上記バナナ包装用の袋体を提供するものである。
【００１７】
本発明の第３の側面は、前記底辺が前記湾曲線上に頂点を有し、該頂点は、前記長側辺と前記開口部との接点からの直線距離が、該接点から前記長側辺と前記底辺との接点までの直線距離よりも長くなるように位置する上記バナナ包装用の袋体を提供するものである。
【００１８】
本発明の第４の側面は、前記開封手段が、前記底辺側の、前記長側辺と底辺の接点と前記頂点との間（該頂点を含む）の任意の位置から伸長する上記バナナ包装用の袋体を提供するものである。
【００１９】
本発明の第５の側面は、前記開封手段が、前記底辺側の、前記長側辺と底辺の接点から前記頂点の方向に向けて３ｃｍ以上離れた位置から、前記頂点（該頂点を含む）までの任意の位置から伸長する上記バナナ包装用の袋体を提供するものである。
【００２０】
本発明の第６の側面は、前記底辺の一部に平坦部を設け、該平坦部の任意の位置から前記開封手段が伸長する上記バナナ包装用の袋体を提供するものである。
【００２１】
本発明の第７の側面は、前記底辺の一部に、前記開封手段が伸長する方向と反対の方向に向けて突出するタブ部を設け、該タブ部のいずれかの位置から前記開封手段が伸長する上記バナナ包装用の袋体を提供するものである。
【００２２】
本発明の第８の側面は、前記開封手段の長さが３．０ｃｍ〜５．０ｃｍの範囲内にある上記バナナ包装用の袋体を提供するものである。
【発明の効果】
【００２３】
本発明によれば、手では開封しにくいバナナの袋体を、消費者等が別途道具を用いることなく容易に開封することができる反面、輸送時には振動や衝撃が与えられても破損しにくい袋体を得ることができる。
【図面の簡単な説明】
【００２４】
【図１】本発明にかかるバナナ包装用の袋体の一実施形態を示す図である。
【図２】開封手段を設ける位置の不適切な例を示す図である。
【図３】本発明にかかるバナナ包装用の袋体の他の実施形態を示す図である。
【図４】本発明にかかるバナナ包装用の袋体の他の実施形態を示す図である。
【図５】本発明の一実施形態にかかるバナナ包装用の袋体にバナナを詰めた状態（開口部を留める前の状態）を示す図である。
【発明を実施するための形態】
【００２５】
以下、本発明の一実施形態に係るバナナ包装用の袋体を図面に基づいて具体的に説明する。
【００２６】
図１は、本発明にかかるバナナ包装用の袋体の一実施形態を示す図であり、袋体を正面から見た図である。便宜上、湾曲線を有する底辺又は底部２（以下「底辺２」という）を上、開口部３を下にした状態としている（図２乃至図４も同じ）。
【００２７】
この実施形態の袋体１は、正面から見た形状と背面から見た形状が同一（ないし左右対称）であるが、両形状は必ずしも同一でなくてもよい。また、以下に述べる実施形態を示す図においては、好適な袋体の例として左右の側辺の長さが異なるもの（長側辺９と短側辺１０からなるもの）を示しているが、これらの側辺の長さは同一とすることもできる。
【００２８】
本発明において、底辺や側辺は、袋体に中身を入れた状態（袋体の使用状態）に「辺」として現れなくてもよく、使用していない状態の袋体を平面状に伸ばした際に「辺」（ないし辺状）と捉えることができるものを云う。底辺は、湾曲線を有するが、湾曲線のみからなる必要はなく、直線などの湾曲線状以外の部分を有していてもよい。側辺は必ずしも直線でなくてもよい。
【００２９】
なお、袋体の標準的な大きさ（４本〜７本程度をひと房とするバナナに使用するもの）は、長手方向の全長（底辺２の頂点７から開口部３へ向けた直線であって、開口部３を水平線とした場合のその垂線の距離）が約３８．１ｃｍ（約１５インチ）、横手方向の長さ（図において開口部３として表わされている左右に延びる直線部分）が約２１．５９ｃｍ（約８．５インチ）程度であるが、本発明にかかる袋体はこれに限られるものではない。長側辺９及び短側辺１０の長さは、湾曲線の角度などとの関係により適宜決する。
【００３０】
開口部３はバナナを詰めるための入口部分である。袋体１の底辺２は、バナナを詰めた際にバナナの湾曲に見合うよう湾曲線を有するので、袋体１の底は湾曲状（湾曲底）となる。
【００３１】
袋体１に、開封を容易にするための開封手段４１を設ける。
【００３２】
開封手段は、複数の細かい孔又は切れ目を点線状又は破線状に連続させて形成する。図においては、切れ目を直線上に連続させた開封手段が示されている。開封時の開封しやすさや破損を防ぐための強度との関係から、開封手段の孔や切れ目の長さ、間隔などを決する。例えば、約３ｍｍ〜５ｍｍの長さの切れ目を、３ｍｍ〜５ｍｍ程度の間隔をもって直線上に連続させることができる。なお、孔や切れ目の連続は必ずしも厳密な直線状でなくてもよく、若干曲線状にしてもよい。また、開口部３を水平線とした場合のその垂線上にあっても、斜線上（ただし、後述のとおり開封手段の位置との関係に注意を要する）にあってもよい。
【００３３】
実験によると、開封手段の好適な長さ（全長）は、３．０ｃｍから５．０ｃｍであった。これよりも短いと、必ずしもスムーズに開封せず、これよりも長いと、輸送時等に（バナナを包装した）袋体にテンションがかかった場合に破損し易くなった。上記観点から最も好適な長さとして得られたのは約３．８ｃｍ（約１．５インチ）であった。
【００３４】
開封手段４１は、底辺２側の任意の一部（いずれかの位置）から伸長するように形成する。
【００３５】
底辺２側から伸長しない位置に開封手段を形成すると、以下のような不都合が生じる。例えば図２において符号５で示す短側辺１０より伸長する位置に開封手段を形成すると、袋体にバナナを詰めた後、バックシーリングテープなどで留める際に開封手段にテンションがかかるため、開封手段が誤って開封したり、袋体が破損したりするおそれが生じやすい。また、図２において符号６で示す長側辺９より伸長する位置に開封手段を形成すると、バナナを詰めた袋体を箱詰めする際に開封手段にテンションがかかるため、同様のおそれが生じやすい。
【００３６】
開封手段は、底辺２側から開口部３の方向に向けて伸長するように形成する。輸送時に袋体が破損するのを避けることと、消費者等による袋体の開封を容易にすることとの兼ね合いから、開封手段は、開口部３を水平線とした場合のその垂線と＋−４５度の範囲内に収まるように形成するのが好ましい。
【００３７】
ただし、開封手段を設ける位置と角度との関係には注意を要する。実験の結果、図２において符号８で示すように、開封手段を頂点７よりやや短側辺側の位置から斜めに伸長させて形成すると、開封手段が誤って開封したり、袋体が破損したりするおそれが生じやすいことが判明した。これは、バナナの収まる位置と湾曲による負荷との関係から、開封手段に対しテンションがかかりやすいためである。バナナのこの位置に開封手段を設けることを考慮した場合、開封手段の伸長する角度は、より上記垂線に近づけること（ないし上記垂線上）がより好ましい。
【００３８】
開封手段４１は、袋体１の正面側と背面側とに、両者がほぼ均一の長さで重なるように形成することが好ましい。
【００３９】
本発明において、袋体の材質はどのようなものであってもよいが、本発明は、現在広く用いられている樹脂フィルムに適用することができ、極めて高い汎用性を有する点が大きな特徴である。
【００４０】
本発明にかかる袋体１にバナナを詰めた状態を図５に示す。図５は、開口部３を上、底辺２を下とし、開口部を留める前の状態を表している。開口部３が留められた商品を購入した消費者は、開封手段４１の両脇をそれぞれ右手と左手の指でつまみ、互いに反対の方向に力を加えて引っ張ることにより、袋体１を開封する。
【００４１】
本発明の袋体によれば、従来の工程に従ってバナナを商品化することができ、何ら新たな工程を加えることを要しないので、商品を供給する者に便宜である。一方、当該バナナを購入した消費者は、高齢者や子供であっても、何ら複雑な作業を行うことなく、開封手段の両脇を手で引くことで袋体を容易に開封することができる。
【００４２】
図１に示されるように、長側辺と開口部の接点１４から底辺２の頂点７までの長さ（直線距離）が、長側辺１０の長さ（前記接点１４から、長側辺と底辺の接点１３までの直線距離）よりも長くなる位置に頂点７が設けられるように、底辺の湾曲線を形成するのが好ましい。これによると、底辺２の湾曲線が外側に膨らむような湾曲形状が形成される。そして、開封手段４１を、長側辺と底辺の接点１３と、底辺２の頂点７とを結ぶ湾曲線上の任意の位置（頂点７を含む）から伸長するように形成するのが好適である（図１はその一例である）。バナナを袋体１に詰める際、通常、バナナのなり口（ヘタの部分）が、長側辺と底辺の接点１３と、底辺２における湾曲線上の頂点７との間に位置するように収める。その状態でバナナを袋詰めして開口部３を留めると、この位置にゆとりができ、輸送時等に最もテンションがかかりにくいことが判明した。そのため、開封手段４１を袋体１のこの位置に設けた場合に、商品の箱詰め時や輸送時に袋体が誤って破損することを最も回避できる。なお、バナナのなり口が収まる形状として、接点１３が例えば図１で見て長側辺よりも左側に位置（この場合、図１で見て長側辺上部が左側に湾曲する）してもよい。
【００４３】
底辺２の頂点７は、長側辺及び短側辺の長さ、湾曲線の角度などが適宜決せられるのに伴って決せられるので、袋体の大きさなどにより位置が変わり得る。ただし、袋体は、長側辺と底辺の接点１３と、底辺２における湾曲線上の頂点７との間にバナナのなり口が収まるように設計されること、及び、バナナのなり口の大きさとこれによるテンション等を考慮すれば、開封手段は、袋体の大きさにかかわらず、接点１３から頂点７の方向に向けて約３ｃｍ以上離れた位置から伸長させるのが好ましいといえる。そのため、開封手段は、底辺２の、接点１３から頂点７の方向に向けて約３ｃｍ以上離れた位置から、頂点７（頂点７を含む）までの任意の位置から伸長すれば更に好適である。
【００４４】
図３は、本発明にかかる袋体の他の実施形態を示す図である。この実施形態においては、図３に示すように、底辺の一部分に平坦部１１（便宜上両方向の矢印で示されている）を設け、この平坦部１１から開封手段が伸長するように開封手段４２を形成する。開封手段４２は、平坦部１１の中央付近から伸長させるのが好ましい。
【００４５】
平坦部１１の長さは、袋体の種々のサイズを考慮しても約０．５ｃｍ〜２．０ｃｍ程度で、袋体の多くのサイズにおいて約１．０ｃｍが好適である。
【００４６】
平坦部１１は、長側辺と底辺の接点１３と、底辺２における湾曲線上の頂点７との間（頂点７を含む）の、底辺上に設けることが好ましい。平坦部１１を頂点７付近に設ける場合、その一部が短側辺側に亘っても下記の顕著な効果を得ることができる。
【００４７】
平坦部１１を設けることにより、バナナの商品化の際や商品の箱詰め時、輸送時などに、開封手段に負荷されるテンションを分散でき、開封手段が誤って開封したり、袋体が破損したりすることを、より一層防ぐことができる。平坦部１１を、長側辺と底辺の接点１３と、底辺２における湾曲線上の頂点７との間（頂点７を含む）の、底辺上に設け、平坦部１１の長さを上記範囲内とし、開封手段４２を平坦部１１の中央付近から伸長させた場合、特にこの効果が高い。
【００４８】
図４は、本発明にかかる袋体の更に他の実施形態を示す図である。この実施形態においては、底辺の一部に、開封手段が伸長する方向と反対の方向に向けて突出するタブ部１２を設ける。タブ部１２は、袋体の種々のサイズを考慮しても、横（図５において横方向）の長さが０．５ｃｍ〜３．０ｃｍ程度の範囲内、底辺から突出する方向（図４において縦方向）の最長部が約０．５ｃｍ〜１．５ｃｍ程度の範囲内に含まれる大きさとするのが好適である。
【００４９】
開封手段４３を、このタブ部１２から伸長するように袋体に形成する。開封手段４３は、タブ部１２の先端付近から伸長させるのが好ましい。
【００５０】
タブ部１２は、長側辺と底辺の接点１３と、底辺２における湾曲線上の頂点７との間（頂点７を含む）の、底辺上に設けることが好ましい。
【００５１】
タブ部１２を設けることにより、本発明の開封手段の位置を特定しやすくなると共に、タブ部１２を用いることで、袋体を開封する際の張力がより一層得られやすくなる。タブ部１２を、長側辺と底辺の接点１３と、底辺２における湾曲線上の頂点７との間（頂点７を含む）の、底辺上に設け、タブ部１２の大きさを上記の範囲内とし、開封手段４３をタブ部１２の先端付近から伸長させた場合、特にこの効果が高い。
【産業上の利用可能性】
【００５２】
本発明によれば、剛性に優れたバナナ等の包装用の袋体であっても、非力な高齢者や子供などを含む消費者等が、複雑な作業や別途道具などを用いることなく、容易に開封できるようにすることが可能となる。反面、輸送時には振動や衝撃が与えられても破損しにくいので、従来の一連の輸送形態をそのまま用いることができる。しかも本発明による袋体は低コストで得ることができるため、本発明の産業上の利用可能性は極めて大きい。
【符号の説明】
【００５３】
１  袋体
２  湾曲線を有する底辺、底部
３  開口部
４１、４２、４３  開封手段
５、６、８  開封手段の不適切な位置
７  頂点
９  長側辺
１０  短側辺
１１  平坦部
１２  タブ部
１３  長側辺と底辺の接点
１４  長側辺と開口部の接点
【図１】
0005143928.tif 000002
【図２】
0005143928.tif 000003
【図３】
0005143928.tif 000004
【図４】
0005143928.tif 000005
【図５】
0005143928.tif 000006